(57)【特許請求の範囲】
【請求項１】
第１のネットワークエレメント（Ａ）と少なくとも第２のネットワークエレメント（Ｆ）との間の少なくともパスセグメントを含み、前記パスセグメント上の情報の伝送を監視するためにタンデムコネクションモニタリング（ＴＣ）法が確立される同期階層ネットワークシステムにおいてデータを伝送する方法において、
信号伝送パスのスイッチング動作の後に、ロスオブタンデムコネクション欠陥（ｄＬＴＣ）と解釈されるアウトオブマルチフレーム状態により生じるオールワン挿入を所定の時間インターバルの間抑制するステップを有することを特徴とする方法。
【請求項２】
オールワン挿入を後に伴うロスオブタンデムコネクション欠陥（ｄＬＴＣ）の検出が、アウトオブマルチフレーム信号伝送状態の検出から分離されることを特徴とする請求項１記載の方法。
【請求項３】
ロスオブタンデムコネクション欠陥（ｄＬＴＣ）信号は、アウトオブマルチフレーム（ＯＯＭ）状態が所定の時間インターバルよりも長い時間の間アクティブである場合にのみ設定されることを特徴とする請求項１または２記載の方法。
【請求項４】
前記所定の時間インターバルの長さは、０ないし３個のタンデムコネクションマルチフレームから設定可能であることを特徴とする請求項１ないし３のいずれかに記載の方法。
【請求項５】
トレイルトレース識別子（ＴＴＩ）ミスマッチ検出プロセスは、アウトオブマルチフレーム（ＯＯＭ）状態の間抑制されることを特徴とする請求項１記載の方法。
【請求項６】
請求項１ないし５のうちのいずれか記載のデータ伝送方法に適合された同期階層ネットワークシステムであって、
第１のネットワークエレメント（Ａ）と少なくとも第２のネットワークエレメント（Ｆ）との間の少なくとも１つのパスセグメントを含み、
タンデムコネクションモニタリング（ＴＣ）法が、前記パスセグメント上の情報を監視するために確立されるものにおいて、
信号伝送パスのスイッチング動作の後に、ロスオブタンデムコネクション欠陥（ｄＬＴＣ）と解釈されるアウトオブマルチフレーム状態により生じるオールワン挿入を所定の時間インターバルの間抑制する手段を有することを特徴とするシステム。
【請求項７】
アウトオブマルチフレーム状態においてトレース識別子ミスマッチ検出プロセスを抑制する手段を含むことを特徴とする請求項６記載のシステム。
【発明の詳細な説明】
【０００１】
【発明の属する技術分野】
本発明は、マルチフレームアライメント(multiframe alignment)およびその結果動作に係り、特に、ノンイントラシブモニタリング（ＮＩＭ, Non Intrusive Monitoring）トレイルターミネーション（ＴＴ, Trail Termination）シンクファンクション(sink function)におけるタンデムコネクショントレイル(tandem connection trail)のため、およびＳＤＨ（同期デジタル階層、Synchronous Digital Hierarchy）およびＳＯＮＥＴ（同期光網、Synchronous Oprical Network）システムにおけるＴＴシンクファンクションのためのマルチフレームアライメントに関する。
【０００２】
【従来の技術】
本発明が解決しようとする問題は、典型的には、タンデムコネクショントレイル内の保護スイッチの場合に、同期デジタル階層（ＳＤＨ）および同期光網（ＳＯＮＥＴ）システムにおいて生じる。ＳＤＨおよびＳＯＮＥＴシステムのよりよい理解のために、"Understanding of SONET/SDH", ISBN 0-9650448-2-3, Andan Publisher, New Jersey を参照のこと。
【０００３】
上述したネットワークシステムにおいて、タンデムコネクションは、エンド・ツー・エンドパスと無関係に動作する管理モニタリングドメインを提供することが意図されている。タンデムコネクショントレイルの確立のためのルールは、ＥＴＳＩ  ＥＮ  ３００  ４１７−４−１およびＩＴＵ−Ｔ  Ｇ．７８３に詳細に説明されている。
【０００４】
タンデムコネクショントレイルの動作および確立は、可能な限りネットワークシステムの残りの部分に小さい影響を与えるようにしなければならない。所定の状況下において（即ち、スイッチング動作がタンデムコネクショントレイル内で実行される場合）、現在のバージョンの標準による現行のタンデムコネクションモニタリング（ＴＣＭ）の実行は、信号妨害を不必要に拡大する。
【０００５】
【発明が解決しようとする課題】
したがって、本発明の目的は、保護スイッチにより生じる信号妨害の拡大を防止することにより、ＳＤＨ（シンクロナスデジタルハイエラキー）またはＳＯＮＥＴ（シンクロナスオプティカルネットワーク）システムにおけるタンデムコネクショントレイル内の保護スイッチの影響を減少させることである。
【０００６】
【課題を解決するための手段】
この目的は、請求項１に規定されている伝送保護スキームを有するアプリケーションに対して最適化された強化されたマルチフレーム処理方法および請求項６に規定された改良された同期階層ネットワークシステムにより達成される。
【０００７】
現在の構成において、信号伝送パスの妨害、歪みまたはスイッチング動作の後のアウトオブマルチフレーム（ＯＯＭ）信号伝送状態の結果となる整合された信号受信の喪失は、ｄＬＴＣ欠陥に対する後続の動作としてのオールワンの挿入を伴うロスオブタンデムコネクション欠陥（ｄＬＴＣ, Loss of Tandem Connection defect）の検出を導く。
【０００８】
このオールワン挿入は、信号の不必要な中断となる。本発明による方法は、ＯＯＭ状態におけるｄＬＴＣ検出を所定時間間隔だけ遅らせることにより、ＯＯＭ状態における即時の反応を防止する。
【０００９】
【発明の実施の形態】
本発明は、以下に、好ましい実施形態に基づいてより詳細に説明される。しかし、よりよい理解のために、可能なスイッチング伴うタンデムコネクショントレイルを含むネットワークの標準的構成が、図１に示される。
【００１０】
一方向のタンデムコネクショントレイルが、ネットワークエレメントＡ（ＮＥＡ）とネットワークエレメントＦ（ＮＥ  Ｆ）との間に確立される。ここで、ＮＥ  Ａは、タンデムコネクションソース機能を持ち、ＮＥ  Ｆはタンデムコネクションシンク機能を持つ。ＮＥ  ＡとＮＥ  Ｆとの間のサブネットワークコネクションが、保護される。
【００１１】
ワーカー(waker)サブネットワークコネクションは、ＮＥ  Ｂ−ＮＥ  Ｃ−ＮＥ  Ｄ（信号ａ）により、保護サブネットワークコネクションはＮＥ  Ｅ（信号ｂ）による。保護メカニズムは、「サブレイヤモニタードサブネットワークコネクション保護」（ＳＮＣ／Ｓ）であり、これは、２つのサブネットワーク接続（ＳＮＣ）の各々に対するタンデムコネクションノンイントラシブモニタリングトレイルターミネーションシンク機能の結果に基づく。
【００１２】
保護スイッチ動作の場合において、タンデムコネクションシンク機能は、以前と同様に、信号ａの代わりに信号ｂを受信する。
【００１３】
異なるルートを使用するネットワークにより経路選択されたデジタル信号は、一方において、光ファイバまたはケーブル上の伝送遅れ、および他方において、異なるネットワークエレメントにおける処理時間により生じた異なるランタイム（run time）を経験することになる。したがって、２つの信号は、共通ポイント（ここでは、ＮＥ  Ｆにおける保護スイッチセレクタの入力）に異なる位相で到着することになる。
【００１４】
１ｋｍのケーブルまたは光ファイバは、約５マイクロ秒の転送遅れを生じることに留意すべきである。保護リングアーキテクチャにおいて、短いルートは、２つの隣接ノード間にあるが、長いルートがリング中の全ての他のノードを含むことがある。典型的なアプリケーションにおいて、位相差は、ＳＤＨ／ＳＯＮＥＴフレームの数個分の長さの範囲にあり得る。以下のテキストにおいて、ＳＤＨ表記（ＶＣ）のみが使用される。
【００１５】
図２は、２つの信号間の１フレーム長よりも大きい位相差Ｔを有する信号ａおよびｂを示す。信号は、ＶＣフレーム（…，ｘ−２，ｘ−１，ｘ，ｘ＋１，ｘ＋２，…）を含む。短いルートからより長いルートへの切り換えは、多数のフレームを２度受信する結果となるが、長いルートから短いルートへの切り換えは、しばしば、多数のフレームの喪失を生じることになる可能性が大きい。これは、タンデムコネクションシンク機能における所定の結果となる。
【００１６】
タンデムコネクションシンクにおけるタンデムコネクショントレイルの動作は、標準化されたプロトコルに基づく。このプロトコルは、Ｎ１／Ｎ２バイトに含まれるフレームアライメント信号（ＦＡＳ）をチェックすることを必要とする。
フレームアライメント信号（ＦＡＳ）は、図５および図６に示されているように、７６フレームのタンデムコネクションマルチフレームのうちのフレーム１ないし８における“１１１１  １１１１  １１１１  １１１０”ビットパターンとして定義される。
【００１７】
マルチフレームアライメントをチェックするプロセスが、図３に示されている。マルチフレームアライメントは、バイトＮ１／Ｎ２のうちのビット７ないし８の中でフレームアライメント信号（ＦＡＳ）パターンをサーチすることに基づいて見いだされる。インマルチフレーム（ＩＭ）状態において、即ち訂正信号伝送の状態において、信号は、アライメントのための予測されたマルチフレーム開始位置において連続的にチェックされる。
【００１８】
しかし、フレームアライメントは、２つの連続するフレームアライメント信号（ＦＡＳ）が誤って検出される場合、失われた（アウトオブマルチフレーム（ＯＯＭ）状態に入った）と見なされる。フレームアライメントは、１つの誤りのないフレームアライメント信号（ＦＡＳ）がいずれかの位置において見いだされる場合、復元された、即ちインマルチフレーム（ＩＭ）状態に入ったと見なされる。
【００１９】
タンデムコネクションシンク機能の前での保護スイッチ動作は、前述した異なる信号遅れによるタンデムコネクションシンクにおけるＮ１／Ｎ２バイトの喪失または重複を多分生じることになる。これは、タンデムコネクションマルチフレーム構造の正しい長さが、妨げられ、フレームアライメント信号（ＦＡＳ）が予想されたマルチフレーム開始位置においてもはや見いだされなくなるので、アライメントプロセスがインマルチフレーム状態を出て、即ちアウトオブマルチフレームＯＯＭ状態に入ることになる。そして、アウトオブマルチフレーム（ＯＯＭ）状態は、ロスオブタンデムコネクション欠陥（ｄＬＴＣ）と解釈され、これは、オールワン挿入のような結果動作を生じる。結果として、ＩＭ状態に再び入るまで、出て来る信号がオールワンで上書きされる。
【００２０】
図４は、保護スイッチにより生じる生成される欠陥の依存性およびタイムシーケンスを示す。シーケンスＩＭ（ＴIM＝ｍａｘ．１９ｍｓ／７６ｍｓ）→ＯＯＭ（ＴOOM＝ｍａｘ．９．５ｍｓ／３８ｍｓ）→ＩＭは、１２５マイクロ秒ＶＣフレーム（ＶＣ−４，ＶＣ−４−ＸｃおよびＶＣ−３）に基づくタンデムコネクション信号に対して約ＴALL＝ｍａｘ．２８．５ｍｓを必要とし、５００マイクロ秒ＶＣフレーム（ＶＣ−２，ＶＣ−１２およびＶＣ−１１）に基づくタンデムコネクション信号に対して約ＴALL＝ｍａｘ．１１４ｍｓを必要とする。
【００２１】
これは、約ＴOOM（ｍａｘ．９．５／３８ｍｓ）に対するトラフィックを回復した保護スイッチアクティビティの約ＴIM（ｍａｘ．１９／７６ｍｓ）の後、再び出ていく信号が妨げられることを意味する。タンデムコネクショントレイルが確立されない場合、この妨害は存在しない。
【００２２】
上述したような拡張される信号妨害を防止するために、本発明に従って、保護スイッチにより生じるデータ遅れの差が、ロスオブタンデムコネクション欠陥（ｄＬＴＣ）によるトラフィック妨害を生じないように、タンデムコネクションシンクプロセスを変更することが必要である。
【００２３】
このアプローチで、本発明の改良は、マニュアルまたは強制保護スイッチの場合に主に有効である。これらの場合において、スイッチング動作により生じる信号妨害は、非常に短く（１０ｍｓより短い）、かつマルチフレーム自体は、スイッチングプロセスの前に妨害されない。マルチフレームがスイッチング動作が開始される前に失われる（例えば、ＳＳＦ，ＴＣ−ＵＮＥＱ）の場合、ここで説明された解決手段の利点は小さくなる。
【００２４】
伝送保護スキームを備えたＴＣトレイルのための強化されたマルチフレーム処理本発明において、マルチフレームアライメントプロセスは、スイッチング動作により引き起こされるデータ遅れの差が、オールワン挿入に伴うｄＬＴＣ欠陥の検出とはならないように変更される。これを達成するために、アウトオブマルチフレーム（ＯＯＭ）状態は、現在規定されているように（図３を参照）検出されるが、ｄＬＴＣ欠陥は、この分野における最新技術のようにＯＯＭ状態の検出にもはや直接的に結合されない。
【００２５】
したがって、本発明により記述される具現化は、誤って検出されるフレームアライメント信号の可能性を増大させない。本発明の方法において、ｄＬＴＣ欠陥は、構成可能なタイマが期限切れとなる前に宣言されることはない。このタイマは、ＯＯＭ状態に入るとすぐにスタートされ、新しいマルチフレームアライメント信号の検出によりＯＯＭ状態を出るとすぐに停止される。
【００２６】
タイマが期限切れとなる場合にのみ、ｄＬＴＣ欠陥は宣言され、オールワン挿入がアクティブになる。インターバル長は、０ないし３タンデムコネクションマルチフレームに構成可能である。ゼロマルチフレームの期間が選ばれる場合、アルゴリズム全体は、現在の具現化として振る舞うことになる。ゼロよりも大きいいかなる他の値も、アウトオブマルチフレーム（ＯＯＭ）状態が選択されたインターバル長に対してアクティブになるまでオールワン挿入を抑制することになる。
【００２７】
保護スイッチの場合において、ＩＭ→ＯＯＭ→ＩＭのような変化となるが、アウトオブマルチフレーム（ＯＯＭ）状態は、２ＴＣＭマルチフレームよりも短く、したがって、結果の動作“オールワン挿入”は抑制される。これは、タイマが適切に設定される場合ロスオブタンデムコネクション（ｄＬＴＣ）信号はセットされないからである。この解決法に対するブロック図が図７に示されている。
【００２８】
さらなる新規な改良は、ＯＯＭ状態の場合のｄＴＩＭ欠陥の抑制である。ｄＴＩＭ欠陥は、受信されたトレイルトレース識別子（ＴＴＩ）が３個の連続するマルチフレームに対する期待値と一致しない場合に宣言される。これは、フレームアライメントを再び得るために必要とされる時間が、２ないし３マルチフレームであるので、スイッチング動作の後に最も当てはまる可能性がある。ｄＬＴＣ欠陥が宣言される場合、欠陥がクリアされる前にトレイルトレース識別子と一致するさらに３個の妨害されないマルチフレームをとる。ｄＴＩＭ欠陥の結果は、オールワン挿入であるので、３個のマルチフレームが、リアライメントプロセスにおいて上書きされる。
【００２９】
ｄＴＩＭ検出がＯＯＭ状態において抑制される場合、保護スイッチ動作によるｄＴＩＭ欠陥は検出されない。したがって、検出されたｄＴＩＭ欠陥に対する欠陥の動作であるオールワン挿入により引き起こされる信号妨害の拡大はない。
【００３０】
【発明の効果】
以上述べたように、本発明によれば、保護スイッチにより生じる信号妨害の拡大を防止することにより、同期デジタル階層（ＳＤＨ）または同期光網（ＳＯＮＥＴ）システムにおけるタンデムコネクショントレイル内の保護スイッチの影響を減少させることである。
【図面の簡単な説明】
【図１】“サブレイヤモニタードサブネットワークコネクションプロテクション”（ＳＮＣ／Ｓ）と呼ばれる保護メカニズムを備えたタンデムコネクショントレイルを含むネットワークを示す図。
【図２】スイッチングポイントにおける２個のサブネットワークコネクションの位相関係を示す図。
【図３】現在使用されている“マルチフレームアライメントプロセス”を示す状態図。
【図４】状態変化間の依存性を示す図。
【図５】Ｎ１／Ｎ２バイトビット７ビット８タンデムコネクションマルチフレーム構造を示す図。
【図６】タンデムコネクションマルチフレームのビット７−ビット８のフレーム＃７３−７６の構造を示す図。
【図７】“アウトオブマルチフレーム（ＯＯＭ）フィルタリング”を示すブロック図。
【図１】
0004579391.tif 000002
【図２】
0004579391.tif 000003
【図３】
0004579391.tif 000004
【図４】
0004579391.tif 000005
【図５】
0004579391.tif 000006
【図６】
0004579391.tif 000007
【図７】
0004579391.tif 000008